(57)【特許請求の範囲】
【請求項１】
断熱筐体の開口部の前面にてスライド可能に配置され、開口部の開閉を行うスライド扉において、
前記開口部の側部に形成され、前記断熱筐体を貫通する貫通孔と、
一端に操作部材が固着されるとともに、他端にネジ部が形成されたボルト部材と、
前記ボルト部材のネジ部側が挿通されるとともに、スライド扉が開口部を閉塞する方向に開放部を有する切欠溝が形成され、開口部の側部に配置される第１金具と、
前記第１金具の切欠溝を挿通されたボルト部材のネジ部に螺合するナット部材が設けられ、第１金具と共に開口部の側部に位置決め部材を介して位置決めされる第２金具と、
前記開口部を閉塞した状態でスライド扉と第１金具との間に配設される施錠部材とを備え、
前記ボルト部材は操作部材を断熱筐体の庫内側に残した状態で貫通孔に挿通されるとともに、そのネジ部は断熱筐体の庫外側にて第１金具の切欠溝に挿通された状態で第２金具のナット部に螺合されていることを特徴とするスライド扉の非常開放装置。
【発明の詳細な説明】
【０００１】
【発明の属する技術分野】
本発明は、プレハブ冷蔵庫・冷凍庫等の貯蔵庫に形成された開口部の開閉を行うスライド扉の非常開放装置に関し、特に、盗難等に対するセキュリティを高く維持しつつ、非常脱出を行う際に庫内側から簡単な操作を行うだけでスライド扉の開放を可能とし、安全且つ確実に庫外へ脱出可能なスライド扉の非常開放装置に関するものである。
【０００２】
【従来の技術】
従来より、プレハブ冷蔵庫等のような大型の貯蔵庫では、作業者が誤って庫内に閉じ込められると危険であることから、かかる非常時に、貯蔵庫の開口部（出入口）を開閉する扉を庫内側から開放可能とする機構が設けられているのが一般的である。
【０００３】
例えば、実公平４−３１９８５号公報には、摺動扉における扉体の先端部と冷蔵庫における開口部の開口側部との間に施錠装置を取り付けておき、緊急時には、庫内側で操作ハンドルを回転し、操作ハンドルに突設された操作軸の雄ねじ部と施錠装置の一部を構成し庫外側に配置される受け具のネジ孔部との螺合を解除することにより、受け具を操作軸からフリーな状態にして摺動扉を開放するように構成した摺動扉の非常開放装置が記載されている。
【０００４】
【発明が解決しようとする課題】
前記実公平４−３１９８５号公報に記載された摺動扉の非常開放装置によれば、冷蔵庫の庫内から操作ハンドルを回転することにより、摺動扉を開放して庫内から庫外へ脱出することができるものではある。
【０００５】
しかしながら、緊急時には操作ハンドルの回転操作を適正に行うことは難しいことから、操作ハンドルに予期しない力がかかる場合があり、かかる場合には操作ハンドルと操作軸との連結部分が破壊されてしまうことも充分考えられる。
【０００６】
このように操作ハンドルと操作軸との連結部分が破壊されてしまうと、最早操作軸を回転させることは不可能となり、摺動扉を開放することができなくなって庫内に残された作業者は極めて危険な状態に陥ってしまう虞がある。
【０００７】
本発明は前記従来における問題点を解消するためになされたものであり、盗難等に対するセキュリティを高く維持しつつ、非常脱出を行う際に庫内側から簡単な操作を行うだけでスライド扉の開放を可能とし、安全且つ確実に庫外へ脱出可能なスライド扉の非常開放装置を提供することを目的とする。
【０００８】
【課題を解決するための手段】
前記目的を達成するため本発明に係るスライド扉の非常開放装置は、断熱筐体の開口部の前面にてスライド可能に配置され、開口部の開閉を行うスライド扉において、前記開口部の側部に形成され、前記断熱筐体を貫通する貫通孔と、一端に操作部材が固着されるとともに、他端にネジ部が形成されたボルト部材と、前記ボルト部材のネジ部側が挿通されるとともに、スライド扉が開口部を閉塞する方向に開放部を有する切欠溝が形成され、開口部の側部に配置される第１金具と、前記第１金具の切欠溝を挿通されたボルト部材のネジ部に螺合するナット部材が設けられ、第１金具と共に開口部の側部に位置決め部材を介して位置決めされる第２金具と、前記開口部を閉塞した状態でスライド扉と第１金具との間に配設される施錠部材とを備え、前記ボルト部材は操作部材を断熱筐体の庫内側に残した状態で貫通孔に挿通されるとともに、そのネジ部は断熱筐体の庫外側にて第１金具の切欠溝に挿通された状態で第２金具のナット部に螺合されていることを特徴とする。
【０００９】
前記請求項１に係るスライド扉の非常開放装置では、通常状態において、断熱筐体の貫通孔及び開口部の側部に配置された第１金具の切欠溝に挿通されたボルト部材のネジ部が、第１金具と共に開口部の側部にて位置決め部材を介して位置決めされた第２金具のナット部材に螺合されており、また、開口部を閉塞した状態でスライド扉と第１金具との間に施錠部材が配設されていることから、断熱筐体の外部からスライド扉を開放することはできない。これより、盗難等に対するセキュリティを高く維持することが可能となる。
【００１０】
また、断熱筐体内に作業者が閉じ込められた非常時には、断熱筐体内で操作部材がボルト部材のネジ部とナット部材との螺合をリリースする方向に数回回転されて操作部材が断熱筐体の庫内側に移動された後、断熱筐体の外部に向かって押される。ここに、ボルト部材のネジ部は第２金具のナット部材に螺合されていることから、操作部材による押圧力はボルト部材を介して第２金具を外側方向に押す力となって作用する。このとき、第２金具は第１金具と共に位置決め部材を介して開口部の側部に位置決めされているだけであるから、前記のように第２金具を押す力が作用すると、位置決め部材は簡単に外れて第２金具及び第１金具は開口部の側部から外れることとなる。
【００１１】
この状態でスライド扉はその開放方向へスライド可能な状態となり、スライド扉を開放方向へスライドさせると、第１金具は施錠部材と共にスライド扉のスライドに従って開放方向へ移動する。このとき、ボルト部材のネジ部と第２金具のナット部材とは相互に螺合されて一体になっているが、第１金具にはスライド扉の閉塞方向に開放部を有する切欠溝が形成されているので、前記のようにスライド扉が開放方向へスライドされた場合においても、切欠溝に挿通されたボルト部材は切欠溝の開放部から外部に離脱し、スライド扉の開放動作を行う上で何ら支障が発生することはない。
【００１２】
前記したように、請求項１に係るスライド扉の非常開放装置によれば、盗難等に対するセキュリティを高く維持しつつ、非常脱出を行う際に庫内側から簡単な操作を行うだけでスライド扉の開放を可能とし、安全且つ確実に庫外へ脱出可能となるものである。
【００１３】
尚、何らかの原因で操作部材がボルト部材から離脱した場合でも、ボルト部材の一部が断熱筐体の庫内側に突出しており、このように突出したボルト部材の一部を庫内側から押圧することは可能であることから、前記した場合と同様にして、非常脱出を行う際に庫内側から簡単な操作を行うだけでスライド扉の開放を可能とし、安全且つ確実に庫外へ脱出可能となる
また、断熱筐体内に作業者が閉じ込められた非常時には、断熱筐体内で操作部を回転させることにより、ボルト部材のネジ部と第２金具のナット部材との螺合を解除すれば、第２金具及び第１金具は共に位置決め部材を介して開口部の側部に位置決めされているだけの状態となり、かかる状態でスライド扉を開放方向にスライドさせると、位置決め部材は簡単に外れて第２金具及び第１金具は開口部の側部から外れる。この状態でスライド扉はその開放方向へスライド可能な状態となり、スライド扉を開放方向へスライドさせると、第１金具は施錠部材と共にスライド扉のスライドに従って開放方向へ移動する。かかる場合においても、非常脱出を行う際に庫内側から簡単な操作を行うだけでスライド扉の開放を可能とし、安全且つ確実に庫外へ脱出可能となるものである。
【００１４】
【発明の実施の形態】
以下、本発明に係るスライド扉の非常開放装置について、本発明を具体化した第１実施形態に基づき図面を参照しつつ詳細に説明する。先ず、第１実施形態に係るスライド扉の非常開放装置が採用されるプレハブ冷蔵庫の概略構成について図１に基づき説明する。図１はスライド扉を開放した状態を示すプレハブ冷蔵庫の斜視図である。
【００１５】
図１において、プレハブ冷蔵庫１は、複数の断熱パネルを連結組立して構成された断熱筐体２を有しており、この断熱筐体２の前面側（図１中手前側）には、被冷蔵物の出入を行うための開口部３が形成されている。また、断熱筐体２の前面側において、開口部３の開閉を行うべく断熱筐体２の前面に沿ってスライド可能に構成されたスライド扉４が配設されている。
【００１６】
ここで、スライド扉４のスライド機構について説明する。断熱筐体２の前面の上部には、水平方向に３つのレール支持部材５が固定されている。図１中左側のレール支持部材５は、断面視で略「コ」字状に形成されており、その左側には左ストッパ壁５Ａが設けられている。また、図１において中央のレール支持部材５は、左右が開放され、断面視で略「コ」字状に形成されている。更に、図１中右側のレール支持部材５は、断面視で略「コ」字状に形成され、その右側には右ストッパ壁５Ｂが設けられている。また、各レール支持部材５に渡ってレール６が掛装されており、レール６には、各レール支持部材５に対応して「Ｖ」字状のローラ停止部７が形成されている。
【００１７】
スライド扉４の上部両側には、ローラ支持部材８が取り付けられており、各ローラ支持部材８の上部には、回転可能に支持されたローラ９が取り付けられている。各ローラ９は、レール６上に載置されている。また、スライド扉４の前面側には、手動にて開閉を行う時に把持される取っ手１０が取り付けられている。尚、かかる取っ手１０は、スライド扉４の内側においても、庫内側での作業上支障がないように埋め込み状態で取り付けられており、非常時等の場合に作業者が埋め込み状態から把持可能な状態にして断熱筐体２の内部からスライド扉４を開放する際に使用される。
【００１８】
前記したスライド扉４のスライド機構において、スライド扉４を図１に示す開口部３の開放状態から閉塞方向（図１中左方向）に向かって移動させると、スライド扉４の上部両側における各ローラ支持部材８に支持されたローラ９がレール６上を左方向に転動していき、各ローラ９がレール６に形成された各ローラ停止部７にて停止された時点で、スライド扉４は開口部３を閉塞する。尚、スライド扉４が閉塞方向に行き過ぎた場合、左側のレール支持部材５のストッパ壁５Ａは、ローラ９に衝接して閉塞方向への移動規制を行う。
【００１９】
また、かかる開口部３の閉塞状態からスライド扉４を開放方向（図１中右方向）に移動させると、各ローラ支持部材８に支持されたローラ９がレール６上を右方向に転動していき、ローラ９（図１中右側のローラ）が右ストッパ壁５Ｂに当接した時点で、スライド扉４は開口部３を、図１に示すように、開放する。尚、スライド扉４が開放方向に行き過ぎた場合、右側のレール支持部材５のストッパ壁５Ｂは、ローラ９に衝接して開放方向への移動規制を行う。
【００２０】
次に、前記スライド扉４の施錠機構及びその非常開放機構について図１乃至図４に基づき説明する。図２は非常開放機構を分解して示す斜視図、図３は枠体の一部を破断して模式的に示す説明図、図４は施錠機構の斜視図である。
【００２１】
図１において、断熱筐体２の開口部３の周囲に取り付けられる枠体１１の内、開口部３の左辺部に取り付けられる枠体１１には、非常開放機構の一部を構成する第１金具１２及び第２金具１３が取り付けられており、また、取っ手１０の近傍においてスライド扉４の左側端面４Ａ（図４参照）には、施錠機構の一部を構成する掛け金具１４が取り付けられている。
【００２２】
ここで、非常開放機構の基本構成について図２、図３に基づき説明する。図２において、非常開放機構は、基本的に、両端にネジ部１５Ａ、１５Ｂが形成されたボルト部材１５、ボルト部材１５の一端のネジ部１５Ａに螺合固定される操作ノブ１６、ボルト部材１５の他端のネジ部１５Ｂを挿通する第１金具１２、及び、ボルト部材５の他端のネジ部１５Ｂが螺合される第２金具１３から構成されている。
【００２３】
ボルト部材１５は、断熱筐体１２を構成する断熱パネル１７（図３参照）の厚さ及び枠体１１（図３参照）の厚さを合計した厚さにネジ部１５Ａ及び１５Ｂの長さを加えた長さを有しており、枠体１１及び断熱パネル１７を貫通して形成された貫通孔１８に挿通される。このとき、ボルト部材１５のネジ部１５Ａは断熱パネル１７の内側、即ち、断熱筐体２の内部に配置されており、断熱筐体２の内側にてパッキン１９及び金属プレート２０を挿通した状態でネジ部１５Ａには操作ノブ１６のネジ固定部１６Ａに螺合固定される。従って、断熱筐体２の内部で操作ノブ１６を回転、押圧させることによりボルト部材１５を回転、押圧させることができる。
【００２４】
第１金具１２は、金属板の曲げ加工を行うことにより略箱型に形成されており、上板１２Ａ、下板１２Ｂ、枠体１１側に近接配置される前板１２Ｃ、前板１２Ｃに連続し上板１２Ａと下板１２Ｂの一側縁（図２中右側縁）間に形成される側板１２Ｄ、及び、側板１２Ｄに連続し上板１２Ａと下板１２Ｂの後側縁の一部間に形成される後板１２Ｅを有している。尚、第１金具１２を作成するには、先ず、上板１２Ａ、下板１２Ｂ、前板１２Ｃ、側板１２Ｄ及び後板１２Ｅを展開した形状に従って金属板を打ち抜いた後、各上板１２Ａ等の曲げ加工が行われる。下板１２Ｂに連続する前板１２Ｃの側端縁以外の各側端縁は、側板１２Ｄ及び上板１２Ａの前端縁とそれぞれ溶接されており、第１金具１２の全体に充分な強度が保持されている。
【００２５】
ここに、上板１２Ａ及び下板１２Ｂにて、上下に対向する位置には、それぞれ長孔２１が形成されている。かかる長孔２１には、スライド扉４の左側端面４Ａに取り付けられた掛け金具１４の掛け部１４Ｃに形成されている錠止孔３１（図４参照）と合わされた状態で、後述する南京錠３２に設けられるＵ字状の錠止具３３が挿通されて施錠される。尚、上板１２Ａと下板１２Ｂの双方に長孔２１が形成されているのは、スライド扉４のスライド方式につき左開き方式及び右開き方式のいずれの場合にも対応可能とするためである。因みに、本実施例に係るプレハブ冷蔵庫１では、右開き方式が採用されている。
【００２６】
前板１２Ｃには、スライド扉４の閉塞方向（図２中左方向）に開放部２２を有する切欠溝２３が形成されている。かかる切欠溝２３にはボルト部材１５が挿通される。また、開放部２２は、切欠溝２３にボルト部材１５が挿通された状態でスライド扉４が開放方向（図２中右方向）にスライドされた場合にも、ボルト部材１５が切欠溝２３からスムーズに外れてスライド扉４の開放動作に支障が発生しないようにするものである。また、前板１２Ｃには位置決め孔２４が形成されており、この位置決め孔２４には、後述する第２金具１３の位置決め孔２５に挿通される位置決めピン２６が挿通される。このように各位置決め孔２５、２４に挿通された位置決めピン２６は、枠体１１に形成された位置決め孔２７（図３参照）に嵌入される。このとき、位置決めピン２６には、そのネジ山近傍にネジ部（図示せず）が形成され、また、第２金具１３の位置決め孔２５にも位置決めピン２６のネジ部に螺合するネジ部（図示せず）が形成されており、従って、位置決めピン２６と第２金具１３とは、各ネジ部間の螺合関係に基づき一体になるものではあるが、位置決めピン２６は、第２金具１３、第１金具１２を枠体１１に強固に固定するものではなく、枠体１１に対しては各第２金具１３、第１金具１２を単に位置決め保持する程度の作用を行う。
【００２７】
尚、側板１２Ｄは、後述するように南京錠３２を介してスライド扉４の施錠が行われた状態で、掛け金具１４をスライド扉４の側端面に取り付ける取付ネジ３０を覆い隠すものであり、これにより取付ネジ３０の取り外しを困難なものとして掛け金具１４が取り外されることを防止する作用を行うものである。また、後板１２Ｅは、第２金具１３を前板１２Ｃの前面側（図２中手前側）に取り付けるべく、第２金具１３の位置決め孔２５、前板１２Ｃの位置決め孔２４に挿通された位置決めピン２６を、離間した状態で後方から覆っており、これにより位置決めピン２６が不用意に取り外されることを防止する作用を行うものである。
【００２８】
第２金具１３は、平面視で「Ｌ」字状に形成されており、平板１３Ａと折曲板１３Ｂとを有する。平板１３Ａには、ナット部材２８が溶接固定されており、かかるナット部材２８には、第１金具１２の前板１２Ｃの切欠溝２３に挿通されたボルト部材１５のネジ部１５Ｂが螺合される。また、平板１３Ａには、第１金具１２の前板１２Ｃに形成された位置決め孔２４に合致する位置に、位置決めピン２６のネジ部に螺合するネジ部を有する位置決め孔２５が形成されており、各位置決め孔２５、２４に挿通された位置決めピン２６は、前記したように枠体１１の位置決め孔２７に嵌入されて、第１金具１２及び第２金具１３を枠体１１に対して位置決め保持するものである。
【００２９】
更に、折曲板１３Ｂは、平板１３Ａと第１金具１２の前板１２Ｃとを当接した状態で、位置決めピン２６を位置決め孔２５、２４に挿通して枠体１１の位置決め孔２７に嵌入し、且つ、前板１２Ｃの切欠溝２３に挿通されたボルト部材１５のネジ部１５Ｂをナット部材２８に螺合した際に、第１金具１２の上板１２Ａと下板１２Ｂの左側端縁間の一部を遮蔽する。これによりナット部材２８が第１金具１２の外部に露出しないようにしてナット部材２８等の錆び付き等を防止し、また、第１金具１２の外方からナット部材２８に手指が届かないようにしてセキュリティの確保を図るものである。
【００３０】
尚、第２金具１３における平板１３Ａ及び折曲板１３Ｂの縦方向（垂直方向）の幅は、第１金具１２の前板１２Ｃの縦方向幅と略同一に形成されており、これにより断熱筐体２の内部から操作ノブ１６を回転してボルト部材１５のネジ部１５Ｂとナット部材２８との螺合を解除して解錠する際に、第２金具１３の平板１３Ａ及び折曲板１３Ｂは第１金具１２の上板１２Ａや下板１２Ｂに当接されることから、第２金具１３が空回りすることを確実に防止できる。
【００３１】
前記のように構成された非常開放機構を組み立てるには、先ず、ボルト部材１５のネジ部１５Ａを操作ノブ１６のネジ固定部１６Ａ螺合固定するとともに、金属プレート２０、パッキン１９の順でボルト部材１５に挿通し、この後、断熱筐体２の内部からボルト部材１５を断熱パネル１７及び枠体１１に形成された貫通孔１８に挿通する。更に、枠体１１の前面にて位置決めピン２６を介して位置決め保持されている第１金具１２の前板１２Ｃに形成された切欠溝２３に挿通し、また、ボルト部材１５のネジ部１５Ｂと第１金具１２と共に位置決めピン２６により枠体１１の前面に位置決め保持されている第２金具１３のナット部材２８とを対向させる。そして、断熱筐体２の内部で操作ノブ１６を回転させることにより、ボルト部材１５のネジ部１５Ｂをナット部材２８に螺合する。これにより、非常開放機構の組立が終了する。
【００３２】
続いて、施錠機構の構成について図４に基づき説明する。図４において、スライド扉４の左側端面４Ａに取り付けられる掛け金具１４は、固定部１４Ａ、ヒンジ部１４Ｂ及び掛け部１４Ｃから構成されており、固定ネジ３０を介して固定部１４Ａをスライド扉４の左側端面４Ａにネジ止め固定することにより取り付けられている。掛け部１４Ｃは、ヒンジ部１４Ｂを介して回動可能にされており、施錠をしない通常状態ではスライド扉４の左側端面４Ａに沿って下方に回動した状態にある。また、掛け部１４Ｃには、錠止孔３１が形成されており、スライド扉４の施錠を行う場合には、図４に示すように、かかる錠止孔３１及び前記のように組み立てられた非常開放機構の第１金具１２における上板１２Ａに形成された長孔２１の双方に南京錠３２に設けられた「Ｕ」字状の錠止具３３が挿通される。
【００３３】
前記のように施錠を行った状態においては、南京錠３２の錠止具３３が、スライド扉４側に取り付けられた掛け金具１４の錠止孔３１と第１金具１２の長孔２１とに渡って挿通されており、また、第１金具１２は、ボルト部材１５のネジ部１５Ｂと第２金具１３のナット部材２８とが相互に螺合されていることに基づき、枠体１１側に強固に固定されていることから、南京錠３２の解錠を行わない限りスライド扉４を開放させることはできない。これより、盗難等に対するセキュリティを高く維持することが可能となる。
【００３４】
次に、前記のように施錠された状態で断熱筐体２内に作業者が閉じ込められた非常時に、非常開放機構を使用してスライド扉４を開放する方法について説明する。
【００３５】
断熱筐体２内に作業者が閉じ込められた非常時には、断熱筐体２の内部から操作ノブ１６がボルト部材１５のネジ部１５Ｂとナット部材２８との螺合をリリースする方向に数回回転され、操作ノブ１６が断熱筐体２の庫内側に移動された後、断熱筐体２の外部に向かって押される。ここに、ボルト部材１５のネジ部１５Ｂは第２金具１３のナット部材２８に螺合されていることから、操作ノブ１６による押圧力はボルト部材１５を介して第２金具１３を外側方向に押す力となって作用する。このとき、第２金具１３は、その位置決め孔２５に螺合された位置決めピン２６を介して第１金具１２と共に開口部３の側部に配置された枠体１１に位置決め保持されているだけであるから、前記のように第２金具１３を押す力が作用すると、位置決めピン２６は、枠体１１の位置決め孔２７、第１金具１２の位置決め孔２４から簡単に外れて第２金具１３及び第１金具１２は枠体１１から外れることとなる。このとき、位置決めピン２６は、そのネジ部と位置決め孔２４のネジ部との螺合関係に基づき、第２金具１３と一体になった状態で枠体１１の位置決め孔２７及び第１金具１２の位置決め孔２４から外れる。
【００３６】
この状態でスライド扉４はその開放方向へスライド可能な状態となり、スライド扉４を開放方向へスライドさせると、南京錠３２を介して掛け金具１４に連結された第１金具１２は、南京錠３２と共にスライド扉４のスライドに従って開放方向へ移動する。このとき、ボルト部材１５のネジ部１５Ｂと第２金具１３のナット部材２８とは相互に螺合されて一体になっているが、第１金具１２にはスライド扉４の閉塞方向に開放部２２を有する切欠溝２３が形成されているので、前記のようにスライド扉４が開放方向へスライドされた場合においても、切欠溝２３に挿通されたボルト部材１５は切欠溝２３の開放部２２から外部に離脱し、スライド扉４の開放動作を行う上で何ら支障が発生することはない。
【００３７】
以上説明したように、本実施形態に係る非常開放機構によれば、盗難等に対するセキュリティを高く維持しつつ、非常脱出を行う際に断熱筐体２庫内側から簡単な操作を行うだけでスライド扉４の開放を可能とし、安全且つ確実に庫外へ脱出可能となるものである。
【００３８】
尚、何らかの原因で操作ノブ１６がボルト部材１５のネジ部１５Ａから離脱した場合でも、ボルト部材１５のネジ部１５Ａが断熱筐体２の庫内側に突出しており、このように突出したボルト部材１５のネジ部１５Ａを庫内側から押圧することは可能であることから、前記した場合と同様にして、非常脱出を行う際に断熱筐体２の庫内側から簡単な操作を行うだけでスライド扉４の開放を可能とし、安全且つ確実に庫外へ脱出可能となる
また、別の方法として、断熱筐体２内で操作ノブ１６を回転させることにより、ボルト部材１５のネジ部１５Ｂと第２金具１３のナット部材２８との螺合を解除すれば、第２金具１３及び第１金具１２は共に位置決めピン２６を介して開口部３の側部における枠体１１に位置決め保持されているだけの状態となり、かかる状態でスライド扉４を開放方向にスライドさせると、位置決めピン２６は簡単に外れて第２金具１３及び第１金具１２は枠体１１から外れる。この状態でスライド扉４はその開放方向へスライド可能な状態となり、スライド扉４を開放方向へスライドさせると、第１金具１２は、前記の場合と同様にして、南京錠３２と共にスライド扉４のスライドに従って開放方向へ移動する。かかる場合においても、非常脱出を行う際に断熱筐体２の庫内側から簡単な操作を行うだけでスライド扉４の開放を可能とし、安全且つ確実に庫外へ脱出可能となるものである。
【００３９】
尚、スライド扉４の非常開放機構及び施錠機構は、図５に示すような構成であってもよい。ここに、図５に示す別の実施形態は、基本的に、前記した実施形態に係る機構と同一の構成を有しており、従って、以下においては、別の実施形態に特有の構成に着目して説明することとし、前記実施形態に使用されている部材と同一部材等については同一符号を付して説明する。図５は別の実施形態に係る非常開放装置の構成を模式的に示す説明図である。
【００４０】
図５において、第１金具４０は、側面視で略「コ」字状に形成されており、「コ」字状部形成する右側板４０Ａ、平板４０Ｂ、左側板４０Ｃ、及び、左側板４０Ｃに連続して形成された固定板４０Ｄを有している。右側板４０Ａの端縁には、２つの位置決め突起４１が形成されており、各位置決め突起４１は、枠体１１に形成された位置決め溝（図示せず）に嵌入されて第１金具４０を枠体１１に対して位置決め保持する。平板４０Ｂには長孔２１が形成されている。また、固定板４０Ｄには、開放部２２を有する切欠溝２３及び位置決め孔２４が形成されている。また、第２金具４２は略正方形状に形成されており、かかる第２金具４２の前面側には、ナット部材２８が溶接固定されており、また、ナット部材２８の近傍位置にて位置決め孔２５が形成されている。この位置決め孔２５には、前記した場合と同様ネジ部が形成され、また、位置決めピン２６にもネジ部が形成されていることから、位置決めピン２６は、各ネジ部間の螺合関係に基づき位置決め孔２５にネジ固定されている。そして、前記した実施形態の場合と同様、ボルト部材１５のネジ部１５Ｂは、第１金具４０の固定板４０Ｄに形成された切欠溝２３に挿通されるとともに、第２金具４２のナット部材２８に螺合される。また、第２金具４２の位置決め孔２５に挿通され且つネジ固定された位置決めピン２６は、第１金具４０の位置決め孔２４に挿通され、このように挿通された位置決めピン２６は、枠体１１の位置決め孔２７に嵌入される。更に、第１金具４０の右側板４０Ａの端縁に形成された各位置決め突起４１は、枠体１１に形成された位置決め溝に嵌入される。これにより、第１金具４０は、第２金具４２と共に枠体１１に位置決め保持されるものである。特に、第１金具４０の右側板４０Ａに位置決め突起４１を形成し、かかる位置決め突起４１を枠体１１の位置決め溝に嵌入するように構成したので、第１金具４０は枠体１１に対して確実に位置決め保持されるものである。尚、第２金具４２のナット部材２８側には、位置決め孔２５にネジ固定された位置決めピン２６が取り外されることを防止すべく、図示しない保護カバーが設けられている。
【００４１】
スライド扉４の前面側には、固定ネジ３０を介して固定部１４Ａをネジ止め固定することにより掛け金具１４が取り付けられている。かかる掛け金具１４の構成において、掛け部１４Ｃが固定ネジ３０を覆った状態で、掛け部１４Ｃの錠止孔３１と第１金具４０の長孔２１とに渡って南京錠３２の錠止具３３が挿通される。これにより、固定部１４Ａから固定ネジ３０が外されることを防止している。尚、掛け金具１４は、その取付位置が異なるだけで前記実施形態に使用された掛け金具１４と同一である。
【００４２】
そして、スライド扉４の施錠を行う場合には、図５に示すように、掛け部１４Ｃの錠止孔３１及び前記構成を有する非常開放機構の第１金具４０における平板４０Ｂに形成された長孔２１の双方に南京錠３２に設けられた「Ｕ」字状の錠止具３３が挿通される。
【００４３】
前記のように施錠を行った状態においては、南京錠３２の錠止具３３が、スライド扉４側に取り付けられた掛け金具１４の錠止孔３１と第１金具４０の長孔２１とに渡って挿通されており、また、第１金具４０は、ボルト部材１５のネジ部１５Ｂと第２金具４２のナット部材２８とが相互に螺合されていることに基づき、枠体１１側に強固に固定されており、更に、第２金具４２のナット部材２８側に保護カバーを設け且つ掛け部１４Ｃにより固定ネジ３０を覆っていることから、南京錠３２の解錠を行わない限りスライド扉４を開放させることはできない。
これより、盗難等に対するセキュリティを高く維持することが可能となる。
【００４４】
次に、前記のように施錠された状態で断熱筐体２内に作業者が閉じ込められた非常時に、非常開放機構を使用してスライド扉４を開放する方法について説明する。
【００４５】
断熱筐体２内に作業者が閉じ込められた非常時には、断熱筐体２の内部から操作ノブ１６がボルト部材１５のネジ部１５Ｂとナット部材２８との螺合をリリースする方向に数回回転され、操作ノブ１６が断熱筐体２の庫内側に移動された後、断熱筐体２の外部に向かって押される。ここに、ボルト部材１５のネジ部１５Ｂは第２金具４２のナット部材２８に螺合されていることから、操作ノブ１６による押圧力はボルト部材１５を介して第２金具４２を外側方向に押す力となって作用する。このとき、第２金具４２は第１金具４０と共に位置決めピン２６を介して開口部３の側部に配置された枠体１１に位置決め保持され、また、第１金具４０は位置決め突起４１を枠体１１の位置決め溝に嵌入して枠体１１に位置決め保持されているだけであるから、前記のように第２金具４２を押す力が作用すると、位置決めピン２６は、枠体１１の位置決め孔２７、第１金具４０の位置決め孔２４から簡単に外れ、また、位置決め突起４１は枠体１１の位置決め溝から簡単に外れて第２金具４２及び第１金具４０は枠体１１から外れることとなる。
【００４６】
この状態でスライド扉４はその開放方向へスライド可能な状態となり、スライド扉４を開放方向へスライドさせると、南京錠３２を介して掛け金具１４に連結された第１金具４０は、南京錠３２と共にスライド扉４のスライドに従って開放方向へ移動する。このとき、ボルト部材１５のネジ部１５Ｂと第２金具４２のナット部材２８とは相互に螺合されて一体になっているが、第１金具４０にはスライド扉４の閉塞方向に開放部２２を有する切欠溝２３が形成されているので、前記のようにスライド扉４が開放方向へスライドされた場合においても、切欠溝２３に挿通されたボルト部材１５は切欠溝２３の開放部２２から外部に離脱し、スライド扉４の開放動作を行う上で何ら支障が発生することはない。
【００４７】
以上説明したように、図５に示す別の実施形態に係る非常開放機構によれば、盗難等に対するセキュリティを高く維持しつつ、非常脱出を行う際に断熱筐体２庫内側から簡単な操作を行うだけでスライド扉４の開放を可能とし、安全且つ確実に庫外へ脱出可能となるものである。
【００４８】
続いて、第２実施形態について図６乃至図１４に基づき説明する。第２実施形態はプレハブ冷蔵庫に使用される断熱扉の構造に関するものである。
【００４９】
図６は第２実施形態に係る断熱扉を示す断面図、図７は断熱扉が配設されるプレハブ冷蔵庫の概略斜視図である。プレハブ冷蔵庫１１０は、外装と内装との間に断熱材を充填した断熱構造の筐体１１２の内部に収納室が画成されるとともに、筐体１１２の前部に開設された開口部１１２ａ（図８、図９参照）は、筐体１１２の前面に配設された２枚の断熱扉１１４、１１６により開閉される。
【００５０】
尚、左右の断熱扉１１４、１１６の構成及び開閉構造は同一であるので、図７において右側に位置する右断熱扉１１４に関連する構成について主に説明し、左側に位置する左断熱扉１１６に関連する構成に関しては、同一部材に同一符号を付して説明することとする。
【００５１】
筐体１１２の前面には、図８に示すように、開口部１１２ａの上部位置にスライドレール１１８が左右方向（幅方向）に所定長さで延在するように配設されており、右断熱扉１１４の上端にレールブラケット１２０を介して配設された複数のローラ１２２が、スライドレール１１８に摺動可能に配設されている。そして、左右の断熱扉１１４、１１６は、各扉１１４、１１６の前面側に配設された取っ手１２４、１２４を持って左右に引くことで、各断熱扉１１４、１１６がスライドレール１１８、１１８に沿って左右に離間移動して、開口部１１２ａが開放されるようになっている。
【００５２】
前記右断熱扉１１４は、前板１２６、背面板１２８、両板１２６、１２８の４辺同志を連結して周縁部を構成する４本の扉枠１３０及びこれらの部材により内部画成された空間に充填された断熱材１３２とから構成される。尚、右断熱扉１１４における左端熱扉１１６と対向する左側に配設されている内の扉枠１３０（左断熱扉１１６では右側に配設される）には、軟質ゴム製のセンターパッキン１３４がその長手方向の全長に渡って配設され、左右の断熱扉１１４、１１６により開口部１１２ａを閉成した際に、両センターパッキン１３４、１３４が密着することで、冷気漏れを防止し得るように構成されている。
【００５３】
前記センターパッキン１３４の内部前側には、図６に示すように、熱伝導率の良好な金属製ブラケット１３８が前記内の扉枠１３０の長手方向に沿って配設されるとともに、このブラケット１３８に接触するようにヒータ１３６が扉枠１３０の長手方向全長に渡って配設される。そして、このヒータ１３６によりセンターパッキン１３４の内部を加熱することで、パッキン表面の結露及び凍結を防止するようになっている。また、右断熱扉１１４における左断熱扉１１６から離間する右側に配設されている外の扉枠１３０（左断熱扉１１６では左側に配設される）には、その上部位置にジョイントボックス１４０が配設されており、ヒータ１３６から導出するリード線１４２は、後述するように、内の扉枠１３０及び上の扉枠１３０の各凹１４４内を配線された後に、ジョイントボックス１４０に接続されるように構成してある。
【００５４】
前記右断熱扉１１４の周縁部を構成する少なくとも内の扉枠１３０及び上の扉枠１３０の構成は同一であるので、内の扉枠１３０の構成について主に説明する。即ち、内の扉枠１３０は、硬質合成樹脂を材質として、図１０及び図１１に示す断面形状で押出し成形されたものであって、その適宜の位置には、外側（断熱材１３２から離間する側）に開口する凹部１４４が、その長手方向の全長に渡って形成されている。また、図１１及び図１２に示すように、この凹部１４４における一方の開口端縁部の全長に渡って、凹部１４４の開口部１４４ａを閉塞する２つの蓋部材１４６ｂ及び１４６ｃが内の扉枠１３０に一体形成されている。各蓋部材１４６ｂ、１４６ｃは、開口部１４４ａの幅を略２等分するように、２つに分割して形成されており、また、凹部１４４の底面（図１１、図１２中右側壁面）と平行な状態で開口部１４４ａの全幅を閉塞している。具体的には、図１３に示すように、各蓋部材１４ｂ、１４６ｃの幅ｂは、凹部１４４の幅寸ａの１／２となるように設定されている。
【００５５】
更に、図７に示す左断熱扉１１６の側端面で扉枠１３０に取り付けられるジョイントボックス１４０の幅と前記各蓋部材１４６ｂ、１４６ｃの幅との関係について説明すると、図１４に示すように、幅ｃを有するジョイントボックス１４０の外側端部（図１４中下側端部）は、各蓋部材１４６ｂ、１４６ｃの先端部が相互に接する位置となるように配置されている。
【００５６】
前記の構成を有する断熱扉１１４、１１６において、扉枠１３０に一体に形成された２つの各蓋部材１４６ｂ、１４６ｃは、その先端部が相互に当接されて通常状態で凹部１４４の全幅を閉塞するように構成されているので、扉枠１３０の成形後に保管や輸送をしている間、また、組立前の保管時に、ゴミ等が凹部１４４内に侵入することを確実に防止することが可能となり、従って、凹部１４４内部の掃除等をする必要がなくなった。
【００５７】
また、軟質合成樹脂製の各蓋部材１４６ｂ、１４６ｃは、凹部１４４の前幅ａの１／２となるように構成されているので、ヒータ１３６のリード線１４２の組み付け時及び交換時に各蓋部材１４６ｂ、１４６ｃを弾性変形させる応力を分散して小さくすることができ、これにより各蓋部材１４６ｂ、１４６ｃの耐久性を向上して亀裂等が発生してしまうことを確実に防止することができる。
【００５８】
更に、図１４に示すように、ジョイントボックス１４０の外側端部を、各蓋部材１４６ｂ、１４６ｃの先端部が相互に接する位置となるように配置したので、リード線１４２の交換時等の場合に、ジョイントボックス１４０を取り外す必要が全くなくなり、蓋部材１４６ｃをドライバ等の工具で弾性変形させることによりリード線１４２を開口部１４４ａから簡単に取り出すことができる。
【００５９】
また、各蓋部材１４６ｂ、１４６ｃは、２分割することにより短くしたので、多くの従来例のように、特に係合片を設ける必要がなくなった。
【００６０】
尚、本発明は前記各実施形態に限定されるものではなく、本発明の要旨を逸脱しない範囲内で各種の改良、変形が可能であることは勿論である。
【００６１】
【発明の効果】
以上説明した通り本発明は、盗難等に対するセキュリティを高く維持しつつ、非常脱出を行う際に庫内側から簡単な操作を行うだけでスライド扉の開放を可能とし、安全且つ確実に庫外へ脱出可能なスライド扉の非常開放装置を提供することができる。
【図面の簡単な説明】
【図１】  第１実施形態に係る非常開放装置が採用されプレハブ冷蔵庫におけるスライド扉を開放した状態を示すプレハブ冷蔵庫の斜視図である。
【図２】  非常開放機構を分解して示す斜視図である。
【図３】  枠体の一部を破断して模式的に示す説明図である。
【図４】  施錠機構の斜視図である。
【図５】  別の実施形態に係る非常開放装置の構成を模式的に示す説明図である。
【図６】  第２実施形態に係る断熱扉の要部断面図である。
【図７】  断熱扉が採用されるプレハブ冷蔵庫を示す外観斜視図である。
【図８】  プレハブ冷蔵庫の要部正面図である。
【図９】  プレハブ冷蔵庫の要部断面図である。
【図１０】  断熱扉の要部を断面状態で示す斜視図である。
【図１１】  扉枠を示す端面図である。
【図１２】  扉枠を示す要部端面図である。
【図１３】  凹部の幅と蓋部材との寸法関係を示す説明図である。
【図１４】  扉枠とジョイントボックスとの関係を示す説明図である。
【符号の説明】
１・・・プレハブ冷蔵庫、２・・・断熱筐体、３・・・開口部、４・・・スライド扉、５・・・レール支持部材、６・・・レール、８・・・ローラ支持部材、９・・・ローラ、１０・・・取っ手、１１・・・扉枠、１２・・・第１金具、１３・・・第２金具、１４・・・掛け金具、１５・・・ボルト部材、１５Ａ、１５Ｂ・・・ネジ部、１６・・・操作ノブ、１７・・・断熱パネル、１８・・・貫通孔、２１・・・長孔、２２・・・開放部、２３・・・切欠溝、２４、２５、２７・・・位置決め孔、２６・・・位置決めピン、２８・・・ナット部材、３１・・・錠止孔、３２・・・南京錠、３３・・・錠止具
【図１】
0004644398.tif 000002
【図２】
0004644398.tif 000003
【図３】
0004644398.tif 000004
【図４】
0004644398.tif 000005
【図５】
0004644398.tif 000006
【図６】
0004644398.tif 000007
【図７】
0004644398.tif 000008
【図８】
0004644398.tif 000009
【図９】
0004644398.tif 000010
【図１０】
0004644398.tif 000011
【図１１】
0004644398.tif 000012
【図１２】
0004644398.tif 000013
【図１３】
0004644398.tif 000014
【図１４】
0004644398.tif 000015